(57)【要約】【課題】  リード線を束ねるための余分な止め具を不要にし、リード線の配線を容易にすることが可能な空気調和機を提供する。【解決手段】  筐体３Ａの内部に熱交換器６、送風機５及び電装箱２０を備えた空気調和機である。そして、電装箱２０は、電装箱本体２１を有するとともに、この電装箱本体の一辺方向Ａに沿って一対の制御基板２１，２２を配置し、電装箱本体の一辺に隣接する他辺方向Ｂに沿って一対の制御基板及び電源線が接続される端子台２８を配置し、この端子台と電装箱本体の壁との間に、その電装箱本体の内側と外側とを連通させる溝部２９を形成し、この溝部に挿通させて一対の制御基板から延びるリード線２５，２６を電装箱本体２１の外側に導出させる構成としている。【選択図】      図４
2004170054.tif 000002
【特許請求の範囲】
【請求項１】
筐体の内部に熱交換器、送風機及び電装箱を備えた空気調和機において、前記電装箱は、電装箱本体を有するとともに、この電装箱本体の一辺方向に沿って一対の制御基板を配置し、前記電装箱本体の一辺に隣接する他辺方向に沿って前記一対の制御基板及び電源線が接続される端子台を配置し、この端子台と前記電装箱本体の壁との間に、その電装箱本体の内側と外側とを連通させる溝部を形成し、この溝部に挿通させて前記一対の制御基板から延びるリード線を前記電装箱本体の外側に導出させる構成としたことを特徴とする空気調和機。
【請求項２】
前記端子台は、前記溝部に対応する位置に配置されていることを特徴とする請求項１に記載の空気調和機。
【請求項３】
前記電装箱本体のリード線導出側の外部には、前記リード線とこれに接続される各種機器から延びる他のリード線とを接続するためのスペースが設けられていることを特徴とする請求項１に記載の空気調和機。
【発明の詳細な説明】
【技術分野】
【０００１】
本発明は、内部に一対の制御基板を収容した電装箱を設けた空気調和機に関する。
【背景技術】
【０００２】
一般に、この種の空気調和機においては、空気調和機本体としての筐体の内側に、熱交換器、送風機及びプリント基板等の制御基板を収容した電装箱を備えており、そして、電装箱内に一対の制御基板を対向配置したものが知られている（例えば、特許文献１参照。）。
【０００３】
前記した従来構成の電装箱においては、各制御基板から延びるリード線は、各制御基板に実装された電子部品が邪魔になるため、電装箱本体の内側を引き回すことができない。そのためリード線は、電装箱本体の一端から外側に引き出され、この電装箱本体の外壁に沿って引き回されて、電装箱本体の他端に設置された接続のためのスペースで、各種機器から延びる他のリード線と接続されるものであった。
【特許文献１】特開平７−１２３６８号公報
【発明の開示】
【発明が解決しようとする課題】
【０００４】
ところで、前記した従来技術のものでは、電装箱本体の一端からその外側にリード線を引き出し、これを電装箱本体の外壁に沿って引き回すため、それらリード線を束ねるための止め具を必要とするものであった。
【０００５】
そこで、本発明の目的は、上述した従来技術が有する課題を解消し、リード線を束ねるための余分な止め具を不要にし、リード線の配線を容易にすることが可能な空気調和機を提供することにある。
【課題を解決するための手段】
【０００６】
請求項１に記載の発明は、筐体の内部に熱交換器、送風機及び電装箱を備えた空気調和機において、前記電装箱は、電装箱本体を有するとともに、この電装箱本体の一辺方向に沿って一対の制御基板を配置し、前記電装箱本体の一辺に隣接する他辺方向に沿って前記一対の制御基板及び電源線が接続される端子台を配置し、この端子台と前記電装箱本体の壁との間に、その電装箱本体の内側と外側とを連通させる溝部を形成し、この溝部に挿通させて前記一対の制御基板から延びるリード線を前記電装箱本体の外側に導出させる構成としたことを特徴とする。
【０００７】
請求項２に記載の発明は、請求項１に記載の空気調和機において、前記端子台が前記溝部に対応する位置に配置されていることを特徴とする。
【０００８】
請求項３に記載の発明は、請求項１に記載の空気調和機において、前記電装箱本体のリード線導出側の外部には、前記リード線とこれに接続される各種機器から延びる他のリード線とを接続するためのスペースを設けたことを特徴とする。
【発明の効果】
【０００９】
本発明では、筐体の内部に熱交換器、送風機及び制御基板を収容する電装箱を備えた空気調和機において、前記電装箱は、電装箱本体を有するとともに、この電装箱本体の一辺方向に沿って一対の制御基板を配置し、前記電装箱本体の一辺に隣接する他辺方向に沿って前記一対の制御基板及び電源線が接続される端子台を配置し、この端子台と前記電装箱本体の壁との間に、その電装箱本体の内側と外側とを連通させる溝部を形成し、この溝部に挿通させて前記一対の制御基板から延びるリード線を前記電装箱本体の外側に導出させる構成としたから、電装箱本体の外へ導出されるリード線は、止め具を必要とせずに、溝部によって束ねられた状態となるため、まとまり良く配線できるとともに、リード線を束ねるための余分な止め具が不要となり、リード線の配線作業が容易に行える。
【００１０】
また、本発明では、前記端子台は、前記溝部に対応する位置に配置されている構成であるから、溝部に挿通されるリード線を端子台によって押さえることができ、リード線を溝部に確実に固定させることが可能になる。
【００１１】
さらにまた、本発明では、前記電装箱本体のリード線導出側の外部には、前記リード線とこれに接続される各種機器から延びる他のリード線とを接続するためのスペースが設けられている構成であるから、従来のように、リード線を電装箱本体の一端側から外側に引き出した後にその電装箱本体の外側に沿って引き回す必要がなく、スペース内での配線接続作業の作業効率を向上させることができる。
【実施例１】
【００１２】
以下、本発明の一実施例を図１〜図４に基づいて説明すると、図１において、１は室内の壁板１を示し、この壁板１の所定位置には、取付用開口２が形成されており、この取付用開口２の内側部分には、本発明の一実施例である空気調和機３が取付けられている。
【００１３】
前記空気調和機３は、図１及び図２に示すように、外枠となる筐体３Ａを備え、この筐体３Ａの内部には、合成樹脂製のフレーム４と、このフレーム４に支持されるクロスフローファン等からなる送風機５と、略く字状に折り曲げられ、冷媒と空気との熱交換を行う熱交換器６と、前フレーム７と、この前フレーム７に支持されるフィルタ８と、前記熱交換器６の下部に位置するドレンパン９とが設けられている。また、１０は吹出口部材であり、１１は筐体３Ａの下板である。
【００１４】
そして、前記熱交換器６には、圧縮機、四方弁、室外熱交換器および減圧装置が内蔵された図示しない室外機からの冷媒が供給される。
【００１５】
前記筐体３Ａの前面には、図１に示すように、吸込グリル１２が配設され、この吸込グリル１２の内側に、前記フィルタ８が配設される。そして、吸込グリル１２の吸込口１２Ａから筐体３Ａ内に吸い込まれた被調和室の空気は、フィルタ８で除塵された後に、熱交換器６に至り、ここで空気調和された後に、送風機５を介して吸込グリル１２の下部に形成された吹出口１２Ｂから被調和室内に吹き出される。
【００１６】
前記筐体３Ａの正面視における右端には、前記フレーム４と横並びで、かつ、筐体３Ａの縦方向のほぼ一杯に延在する電装箱２０が配置されている。
【００１７】
図３は電装箱の正面図であり、図４は電装箱の底面図である。前記電装箱２０は樹脂製の電装箱本体２１を備え、この電装箱本体２１には、その一辺方向Ａに沿って一対の制御基板２２，２３が対向して配置されている。また、前記各制御基板２２，２３は、電装箱本体２１の内壁に形成された凹溝２１Ａに両縁が差し込まれて、前記電装箱本体２１に保持される。
【００１８】
前記各制御基板２２，２３は、互いに対向する面に、電子部品（図示せず）がそれぞれ実装されており、これら電子部品につながるリード線２５、２６は、各制御基板２２，２３から延出して、前記電装箱本体２１の内側を引き回された後、図３に示すように、電装箱本体２１の外側に導出される。
【００１９】
また、前記電装箱本体２１内には、その電装箱本体２１の一辺に隣接する他辺方向Ｂに沿って、端子台２８が配置され、この端子台２８には、前記各制御基板２２，２３及び電源線（図示せず）が接続される。そして、前記端子台２８と電装箱本体２１との間には、図４に示すように、その電装箱本体２１の内側と外側を連通する溝部２９が形成されている。具体的には、電装箱本体２１の外壁に略Ｕ字状の溝部２９が形成され、この溝部２９を跨ぐように上述した端子台２８が配置されており、そして、この端子台２８は、前記溝部２９と対応する位置の電装箱本体２１に配置されている。
【００２０】
本実施例では、電子部品（図示せず）につながるリード線２５、２６は、前記電装箱本体２１の内側を引き回された後、端子台２８で囲われた溝部２９に挿通させて、電装箱本体２１の外側に導出される。そして、前記溝部２９の大きさを、リード線２５、２６を通すだけの大きさに形成することにより、前記溝部２９に挿通された前記リード線２５、２６は、前記端子台２８によって上から押さえつけられるため、溝部２９内にしっかりと固定される。
【００２１】
これによれば、従来のように、リード線を、電装箱本体の一端から外側に引き出し、この電装箱本体の外壁に沿って引き回して、電装箱本体の他端に設置された接続のためのスペースに導く必要がない。即ち、その接続スペースは、図３に示すように、端子台２８の下方に位置して、電装箱本体２１の外部に形成されるスペースＳであり、このスペースＳには、例えば、送風機５のモータにつながるリード線や、吸込温度センサ等のセンサ類につながるリード線が導かれ、この位置で、各リード線と上記リード線２５、２６とがコネクタ結合される。
【００２２】
本実施例では、リード線２５、２６が、電装箱本体２１の内側を通り、溝部２９を通じて、電装箱本体２１の外側に導出されるため、従来のように、電装箱本体２１の外側を引き回すものと比べ、まとまり良く配線できるとともに、リード線を束ねるための余分な止め具が不要になり、配線接続作業の効率化を図ることができる等の効果が得られる。
【００２３】
以上、一実施例に基づいて本発明を説明したが、本発明は、これに限定されるものではなく、種々変更が可能である。
【図面の簡単な説明】
【００２４】
【図１】本発明に係る空気調和機の一実施例を示す縦断面図である。
【図２】空気調和機の分解斜視図である。
【図３】電装箱の正面図である。
【図４】電装箱の底面図である。
【符号の説明】
【００２５】
１      天井板
３      空気調和機
３Ａ    筐体
５      送風機
６      熱交換器
２０      電装箱
２１      電装箱本体
２２      制御基板
２３      制御基板
２５      リード線
２６      リード線
２８      端子台
２９      溝部
Ｓ      スペース
【図１】
2004170054.tif 000003
【図２】
2004170054.tif 000004
【図３】
2004170054.tif 000005
【図４】
2004170054.tif 000006